(57)【要約】      （修正有）【課題】熟練を要することなく、何人も簡単、且つ迅速に毛糸玉を作成することができる毛糸玉作成具を提供する。【解決手段】半円環状の同一形状に形成された２組の対面する基板６ａ・６ｂを連結して形成された第１の巻き付け部材１と第２の巻き付け部材２とを、回動および傾斜停止手段３を介して回動および傾斜停止可能に一体に連結して、前記第１の巻き付け部材１と第２の巻き付け部材２のいずれか一方を所定傾斜角度で傾斜、あるいは横一列にして停止させて、前記第１の巻き付け部材１と第２の巻き付け部材２とに毛糸を巻き付ける一方、前記毛糸を巻き付けた第１の巻き付け部材１と第２の巻き付け部材２とを、前記回動および傾斜停止手段３を介して上下に当接して、ストッパー手段４で連結固定して、全体として円環状になるよう形成する。【選択図】図１
0003206126.tif 000002
【実用新案登録請求の範囲】
【請求項１】
プラスチックにより半円環状の同一形状に形成された２組の基板６ａ・６ｂを連結して形成された第１の巻き付け部材１と第２の巻き付け部材２とを、回動および傾斜停止手段３を介して回動および傾斜停止可能に一体に連結して、前記第２の巻き付け部材２を前記回動および傾斜停止手段３を介して前記第１の巻き付け部材１の下方側へ回動させて、あるいは第１の巻き付け部材１を前記回動および傾斜固定手段３を介して前記第２の巻き付け部材２の上方側へ回動させて、前記第１の巻き付け部材１と第２の巻き付け部材２のいずれか一方を所定傾斜角度で傾斜、あるいは横一列にして停止させて、前記第１の巻き付け部材１と第２の巻き付け部材２とに毛糸Ｋを巻き付ける一方、前記毛糸Ｋを巻き付けた第１の巻き付け部材１と第２の巻き付け部材２とを、前記回動および傾斜停止手段３を介して上下に当接して、ストッパー手段４で連結固定することにより、全体として円環状になるよう形成された毛糸玉作成具であって、
前記第１の巻き付け部材１と第２の巻き付け部材２を構成する半円環状の２組の対面する基板６ａ・６ｂは、半円状の凹部５を内方側に備えた半円状プレート８の外周端部に、外側方向へ拡開した傾斜面９を備えた半円弧状傾斜板１０をそれぞれ傾斜起立させて形成されると共に、該対面する基板６ａ・６ｂの両側下端縁にそれぞれ直角に突出片１１ａ・１１ｂおよび１１ｃ・１１ｄを延設する一方、前記突出片１１ａ・１１ｂおよび１１ｃ・１１ｄを、挿通孔１２ａ・１２ｂを備えた倒Ｕ字状の連結片１３ａ・１３ｂの両側開放端縁部にそれぞれ固定することにより、前記２組の対面する基板６ａ・６ｂの各傾斜面９の凹部５側の端縁全周に亘って毛糸挿通用隙間７を存して一体に連結固定して、第１の巻き付け部材１と第２の巻き付け部材２とを形成したことを特徴とする毛糸玉作成具。
【請求項２】
請求項１記載の毛糸玉作成具において、対面する基板６ａ・６ｂの両側下端縁にそれぞれ直角に延設された突出片１１ａ・１１ｂおよび１１ｃ・１１ｄの内側方向に、それぞれを突出端面１４ａ・１４ｂおよび１４ｃ・１４ｄを突出させたことを特徴とする毛糸玉作成具。
【請求項３】
請求項１記載の毛糸玉作成具において、第１の巻き付け部材１と第２の巻き付け部材２を構成する基板６ａ・６ｂの半円状プレート８のいずれか一方側に、巻き始めの毛糸Ｋの端縁部を掛止する掛止用スリット１５ａ・１５ｂをそれぞれ形成したことを特徴とする毛糸玉作成具。
【請求項４】
請求項１記載の毛糸玉作成具において、回動および傾斜停止手段３が、第１の巻き付け部材１を構成する半円環状の基板６ａ・６ｂの他方側に形成された突出片１１ｃ・１１ｄを連結する連結片１３ｂの先端縁部両側に、内側に対面して支軸１６をそれぞれ突設した軸固定片１７をそれぞれ延設すると共に、該各支軸１６の近傍の各軸固定片１７にそれぞれ１個の半球状突起１８を突設する一方、前記第２の巻き付け部材２を構成する半円環状の基板６ａ・６ｂの他方側に形成された突出片１１ｃ・１１ｄを連結する連結片１３ｂの先端縁部に、前記各支軸１６を嵌合する凹溝１９を凹設した肉厚の軸受部２０を突設し、前記第１の巻き付け部材１、または第２の巻き付け部材２が、各支軸１６を嵌合した軸受部２０を介して回動し、更に、前記軸固定片１７の各半球状突起１８が、前記軸受部２０の両端外周壁面２１に沿ってスライドして嵌合する、複数個の半球状凹部２２をそれぞれ所定角度の位相差をもって、該軸受部２０の両端外周壁面２１に凹設して形成されたことを特徴とする毛糸玉作成具。
【請求項５】
請求項１記載の毛糸玉作成具において、ストッパー手段４が、第２の巻き付け部材２の一方側の連結片１３ａの端縁部に、断面倒凹状嵌合板２３を備えて形成された嵌合部材２４の基端部を回動自在に軸支すると共に、前記第１の巻き付け部材１の一方側の連結片１３ａの端縁部に、前記嵌合部材２４を回動させて、前記断面倒凹状嵌合板２３に嵌合係止される係止片２５を突設して形成されたことを特徴とする毛糸玉作成具。
【考案の詳細な説明】
【技術分野】
【０００１】
本考案は、毛糸を巻き付けて球形状に作成して、帽子や被服あるいはバッグ等の装飾用として使用する毛糸玉を作成する毛糸玉作成用具に係り、特に、熟練を要することなく、何人も簡単、且つ迅速に毛糸玉を作成することができる毛糸玉作成具に関する。
【背景技術】
【０００２】
従来、熟練を要することなく、何人も簡単に毛糸玉を作成することができる毛糸玉作成具については、例えば、下記特許文献に示す毛玉作成具が公知である。
【先行技術文献】
【特許文献】
【０００３】
【特許文献１】実公訟昭５９-４３４３２号公報
【考案の概要】
【考案が解決しようとする課題】
【０００４】
前記特許文献１に記載された毛玉作成具は、熟練を要することなく、何人でも簡単に毛玉を作成することができるが、該毛玉作成具は、第１部材と第２部材が別体で形成されているため、それぞれ第１部材と第２部材に毛糸を巻き付け、その後両者を接合するため、毛玉作成に手間がかかり、スムーズに毛玉を作成することができないという課題があった。
【０００５】
本考案は、前記課題を解決すべくなされたものであって、毛糸を巻き付ける第１の巻き付け部材と第２の巻き付け部材が別体ではなく、両者を回動可能に、且つ所定角度に停止可能に連結することにより、両者に毛糸を巻き付けた後の操作をスムーズに行えるので、熟練を要することなく、極めて簡単、且つ迅速に毛糸玉を作成することができる毛糸玉作成具を提供することを目的とする。
【課題を解決するための手段】
【０００６】
本考案は前記問題点を解決すべくなされたもので、下記構成より成る毛糸玉作成具が提供される。
【０００７】
請求項１においては、
プラスチックにより半円環状の同一形状に形成された２組の基板６ａ・６ｂを連結して形成された第１の巻き付け部材１と第２の巻き付け部材２とを、回動および傾斜停止手段３を介して回動および傾斜停止可能に一体に連結して、前記第２の巻き付け部材２を前記回動および傾斜停止手段３を介して前記第１の巻き付け部材１の下方側へ回動させて、あるいは第１の巻き付け部材１を前記回動および傾斜固定手段３を介して前記第２の巻き付け部材２の上方側へ回動させて、前記第１の巻き付け部材１と第２の巻き付け部材２のいずれか一方を所定傾斜角度で傾斜、あるいは横一列にして停止させて、前記第１の巻き付け部材１と第２の巻き付け部材２とに毛糸Ｋを巻き付ける一方、前記毛糸Ｋを巻き付けた第１の巻き付け部材１と第２の巻き付け部材２とを、前記回動および傾斜停止手段３を介して上下に当接して、ストッパー手段４で連結固定することにより、全体として円環状になるよう形成された毛糸玉作成具であって、前記第１の巻き付け部材１と第２の巻き付け部材２を構成する半円環状の２組の対面する基板６ａ・６ｂは、半円状の凹部５を内方側に備えた半円状プレート８の外周端部に、外側方向へ拡開した傾斜面９を備えた半円弧状傾斜板１０をそれぞれ傾斜起立させて形成されると共に、該対面する基板６ａ・６ｂの両側下端縁にそれぞれ直角に突出片１１ａ・１１ｂおよび１１ｃ・１１ｄを延設する一方、前記突出片１１ａ・１１ｂおよび１１ｃ・１１ｄを、挿通孔１２ａ・１２ｂを備えた倒Ｕ字状の連結片１３ａ・１３ｂの両側開放端縁部にそれぞれ固定することにより、前記２組の対面する基板６ａ・６ｂの各傾斜面９の凹部５側の端縁全周に亘って毛糸挿通用隙間７を存して一体に連結固定して、第１の巻き付け部材１と第２の巻き付け部材２とを形成したことを特徴とする毛糸玉作成具。が提供され、
【０００８】
請求項２においては、
請求項１記載の毛糸玉作成具において、対面する基板６ａ・６ｂの両側下端縁にそれぞれ直角に延設された突出片１１ａ・１１ｂおよび１１ｃ・１１ｄの内側方向に、それぞれを突出端面１４ａ・１４ｂおよび１４ｃ・１４ｄを突出させたことを特徴とする毛糸玉作成具。が提供され、
【０００９】
請求項３においては、
請求項１記載の毛糸玉作成具において、第１の巻き付け部材１と第２の巻き付け部材２を構成する基板６ａ・６ｂの半円状プレート８のいずれか一方側に、巻き始めの毛糸Ｋの端縁部を掛止する掛止用スリット１５ａ・１５ｂをそれぞれ形成したことを特徴とする毛糸玉作成具。が提供され、
【００１０】
請求項４において、
請求項１記載の毛糸玉作成具において、回動および傾斜停止手段３が、第１の巻き付け部材１を構成する半円環状の基板６ａ・６ｂの他方側に形成された突出片１１ｃ・１１ｄを連結する連結片１３ｂの先端縁部両側に、内側に対面して支軸１６をそれぞれ突設した軸固定片１７をそれぞれ延設すると共に、該各支軸１６の近傍の各軸固定片１７にそれぞれ１個の半球状突起１８を突設する一方、前記第２の巻き付け部材２を構成する半円環状の基板６ａ・６ｂの他方側に形成された突出片１１ｃ・１１ｄを連結する連結片１３ｂの先端縁部に、前記各支軸１６を嵌合する凹溝１９を凹設した肉厚の軸受部２０を突設し、前記第１の巻き付け部材１、または第２の巻き付け部材２が、各支軸１６を嵌合した軸受部２０を介して回動し、更に、前記軸固定片１７の各半球状突起１８が、前記軸受部２０の両端外周壁面２１に沿ってスライドして嵌合する、複数個の半球状凹部２２をそれぞれ所定角度の位相差をもって、該軸受部２０の両端外周壁面２１に凹設して形成されたことを特徴とする毛糸玉作成具。が提供され、
【００１１】
請求項５において、
請求項１記載の毛糸玉作成具において、ストッパー手段４が、第２の巻き付け部材２の一方側の連結片１３ａの端縁部に、断面倒凹状嵌合板２３を備えて形成された嵌合部材２４の基端部を回動自在に軸支すると共に、前記第１の巻き付け部材１の一方側の連結片１３ａの端縁部に、前記嵌合部材２４を回動させて、前記断面倒凹状嵌合板２３に嵌合係止される係止片２５を突設して形成されたことを特徴とする毛糸玉作成具。が提供される。
【考案の効果】
【００１２】
前記構成より成る本考案によれば、下記記載の効果を奏することができる。
【００１３】
請求項１記載の考案によれば、毛糸Ｋを巻き付ける第１の巻き付け部材１と第２の巻き付け部材２が別体ではなく、両者を回動可能に、且つ所定角度に停止可能に連結することにより、両者に毛糸Ｋを巻き付ける作業が容易に行うことができ、更に毛糸Ｋを巻き付けた第１の巻き付け部材１と第２の巻き付け部材２を当接して一体に固定することにより、前記巻き付けられた毛糸巻Ｍの２分割作業もスムーズに行えるので、熟練を要することなく、極めて簡単、且つ迅速に毛糸玉を作成することができる。
【００１４】
請求項２記載の考案によれば、第１の巻き付け部材１と第２の巻き付け部材２とに毛糸Ｋを巻き付けた際、各突出端面１４ａ・１４ｂおよび１４ｃ・１４ｄに毛糸Ｋの端部が接した状態となり、その結果、前記巻き付けた毛糸Ｋを外れにくくすることができる。
【００１５】
請求項３記載の考案によれば、第１の巻き付け部材１および第２の巻き付け部材２へ毛糸Ｋを巻き付ける際、一方の巻き付け部材を動かないようにして、作業者の巻き付け作業を容易にすることができる。
【００１６】
請求項４記載の考案によれば、第１の巻き付け部材１と第２の巻き付け部材２とを、回動および傾斜停止手段３を介して、前記第１の巻き付け部材１と第２の巻き付け部材２のいずれか一方を所定傾斜角度で傾斜、あるいは横一列にして停止させることもできるし、また前記第２の巻き付け部材２を第１の巻き付け部材１に対して斜め上方位置へ回動させて停止することもできる。これにより、前記第１の巻き付け部材１、または第２の巻き付け部材２へ毛糸Ｋを巻き付ける際、前記巻き付け部材を動かないようにして、作業者の巻き付け作業を容易にすることができる。
【００１７】
請求項５記載の考案によれば、第２の巻き付け部材２を前記第１の巻き付け部材１の下方側へ回動させて、該第１の巻き付け部材１の下面に当接した後、前記嵌合部材２４を回動して、該嵌合部材２４の断面倒凹状嵌合板２３に、前記第１の巻き付け部材１の係止片２５を嵌合係止することにより、前記第２の巻き付け部材２は前記第１の巻き付け部材１の下面側に一体に連結固定される。
【図面の簡単な説明】
【００１８】
【図１】本考案毛糸玉作成具の全体を示す斜視図である。
【図２】本考案毛糸玉作成具の全体を示す正面図である。
【図３】本考案毛糸玉作成具の全体を示す平面図である。
【図４】本考案毛糸玉作成具の全体を示す底面図である。
【図５】図２のＡ−Ａ線断面図である。
【図６】図３のＢ−Ｂ線断面図である。
【図７】本考案毛糸玉作成具において、第２の巻き付け部材を第１の巻き付け部材の下面に当接しようとする状態を、一部を切り欠いて示す正面図である。
【図８】本考案毛糸玉作成具において、第１の巻き付け部材を第２の巻き付け部材の上面に当接しようとする状態を、一部を切り欠いて示す正面図である。
【図９】本考案毛糸玉作成具において、回動および傾斜停止手段の要部の斜視図で、（ａ）は第１の巻き付け部材側の回動および傾斜停止手段を示し、（ｂ）は第２の巻き付け部材側の回動および傾斜停止手段を示す。
【図１０】本考案毛糸玉作成具におけるストッパー手段を示す要部の平面図である。
【図１１】本考案毛糸玉作成具を使用して毛糸玉を作成する第１工程を示し、第１の巻き付け部材の毛糸を巻き付けようとする状態を示す斜視図である。
【図１２】本考案毛糸玉作成具を使用して毛糸玉を作成する第２工程を示し、第１の巻き付け部材に毛糸を巻き付けた状態を示す斜視図（図１１とは逆方向から見ている）である。
【図１３】本考案毛糸玉作成具を使用して毛糸玉を作成する第３工程を示し、第１の巻き付け部材に毛糸を巻き付けて形成した毛糸巻の端縁部の毛糸を鋏で切断しようとする状態示す斜視図である。
【図１４】本考案毛糸玉作成具を使用して毛糸玉を作成する第４工程を示し、第２の巻き付け部材に毛糸を巻き付けて形成した毛糸巻の端縁部の毛糸を鋏で切断しようとする状態示す斜視図である。
【図１５】本考案毛糸玉作成具を使用して毛糸玉を作成する第５工程を示し、第１の巻き付け部材と第２の巻き付け部材に毛糸を巻き付けて毛糸巻を形成した後、第１の巻き付け部材と第２の巻き付け部材を当接した状態を示す斜視図（である。
【図１６】本考案毛糸玉作成具を使用して毛糸玉を作成する第６工程を示し、第１の巻き付け部材に毛糸を巻き付けて形成した毛糸巻を、鋏を使用して２分割しようとする状態を示す斜視図である。
【図１７】本考案毛糸玉作成具を使用して毛糸玉を作成する第７工程を示し、第１の巻き付け部材に毛糸を巻き付けて形成した毛糸巻を、鋏を使用して２分割している状態を示す斜視図である。
【図１８】本考案毛糸玉作成具を使用して毛糸玉を作成する第８工程を示し、第１の巻き付け部材と第２の巻き付け部材とに巻き付けて形成した毛糸巻を、鋏を使用して２分割した後、型結び用の毛糸で型結びしている状態を示す斜視図である。
【図１９】本考案毛糸玉作成具を使用して毛糸玉を作成する第９工程を示し、第１の巻き付け部材と第２の巻き付け部材とに巻き付けて形成した毛糸巻を鋏を使用し、且つ該２分割した２巻の毛糸巻を、型結び用の毛糸で型結びして結合した後、型結びして玉状となった毛糸巻を、第１の巻き付け部材と第２の巻き付け部材から取外し、毛糸玉の最終仕上げを行ない、最終製品である毛糸玉とする状態を示す斜視図である。
【実施例】
【００１９】
本考案毛糸玉作成具は、プラスチックにより半円環状のほぼ全体的に同一形状に形成された第１の巻き付け部材１と第２の巻き付け部材２とを、回動および傾斜停止手段３を介して回動および所定角度に傾斜停止可能に軸支して、前記第２の巻き付け部材２を、前記回動および傾斜停止手段３を介して前記第１の巻き付け部材１の下方側へ回動させて、あるいは第１の巻き付け部材１を、前記回動および傾斜停止手段３を介して前記該第２の巻き付け部材２の上方側へ回動させて、第１の巻き付け部材１と第２の巻き付け部材２とを当接して、該第１の巻き付け部材１と第２の巻き付け部材２とをストッパー手段４で一体に連結固定することにより、全体として円環状になるよう形成されている。
【００２０】
前記半円環状の同一形状に形成された第１の巻き付け部材１と第２の巻き付け部材２は、それぞれ中央に半円状の凹部５を設けた２組の半円環状の基板６ａ・６ｂを、後述する毛糸挿通用隙間７を形成できるようにして対面して連結固定して形成されている。そして、前記半円環状の第１の巻き付け部材１と第２の巻き付け部材２を構成する各半円環状の基板６ａ・６ｂは、半円状の凹部５を内方側に備えた半円状プレート８の外周端部に、外側方向へ拡開した傾斜面９を備えた半円弧状傾斜板１０をそれぞれ傾斜起立させて形成されている。
【００２１】
前記構成より成る２組の半円環状の基板６ａ・６ｂを、各傾斜面９がそれぞれ対面するようにすると共に、該各傾斜面９の前記半円状の凹部５側の端部全周に亘って毛糸挿通用隙間７を存して一体に連結固定して、第１の巻き付け部材１と第２の巻き付け部材２がそれぞれ形成される。そして、前記各傾斜面９の前記半円状の凹部５側の端部全周に亘って毛糸挿通用隙間７を存して一体に連結固定すべく、前記２組の半円環状の基板６ａ・６ｂの両側開放端部に、それぞれ直角に突出片１１ａ・１１ｂおよび１１ｃ・１１ｄを延設すると共に、前記対面する基板６ａ・６ｂにそれぞれ延設された突出片１１ａ・１１ｂおよび１１ｃ・１１ｄとを、後述する毛糸Ｋおよび鋏の刃先部を挿通する挿通孔１２ａ・１２ｂを開口した、倒Ｕ字状をした連結片１３ａ・１３ｂの両側開放端縁部に連結固定することにより、第１の巻き付け部材１と第２の巻き付け部材２とがそれぞれ形成される。
【００２２】
なお、前記突出片１１ａ・１１ｂおよび１１ｃ・１１ｄの各対面する内側端縁は、内側方向にそれぞれわずかに突出させて突出端面１４ａ・１４ｂおよび１４ｃ・１４ｄが設けられると共に、前記第１の巻き付け部材１と第２の巻き付け部材２を構成する半円環状の基板６ａ・６ｂの各半円状プレート８のいずれか一方側には、巻初めの毛糸の端縁部を掛止する掛止用スリット１５ａ・１５ｂがそれぞれ形成されている。図１に示す実施例においては、掛止用スリット１５ａ・１５ｂは、各半円状プレート８のいずれも左側位置に形成されているが、各半円状プレート８のいずれも右側位置に形成してもよいし、左右両側に形成してもよい。また、前記突出端面１４ａ・１４ｃおよび１４ｂ・１４ｄをそれぞれ設けることにより、後述する第１の巻き付け部材１と第２の巻き付け部材２とに毛糸Ｋを巻き付けた際、該突出端面１４ａ・１４ｂおよび１４ｃ・１４ｄに、前記巻き付けられた毛糸Ｋの両端面部が接した状態となり、その結果、前記巻き付けた毛糸Ｋを外れにくくすることができる。
【００２３】
更に、本考案においては、前記構成より成る第１の巻き付け部材１と第２の巻き付け部材２とを、回動および傾斜停止手段３を介して回動可能に軸支して、図７に示すように、前記第２の巻き付け部材２を前記回動および傾斜停止手段３を介して前記第１の巻き付け部材１の下方側へ回動させて、あるいは、図８に示すように、第１の巻き付け部材１を前記回動および傾斜停止手段３を介して前記該第２の巻き付け部材２の上方側へ回動させて、第１の巻き付け部材１と第２の巻き付け部材２とを当接して、前記第１の巻き付け部材１と第２の巻き付け部材２とをストッパー手段４で一体に連結固定することにより、全体として円環状になるよう形成されている。前記回動および傾斜停止手段３は、前記第１の巻き付け部材１と第２の巻き付け部材２とを回動可能に、且つ所定の傾斜位置で停止可能にできるような構成であれば、いずれも採用することができるが、本考案実施例においては、特に限定する必要はないが、好ましくは、図７〜図９に示すような構成とすることが推奨される。
【００２４】
すなわち、本考案実施例として図７〜図９に示されている回動および傾斜停止手段３は、第１の巻き付け部材１を構成する半円環状の基板６ａ・６ｂの他方側に形成された突出片１１ｃ・１１ｄを連結する連結片１３ｂの先端縁部両側に、内側に対面して支軸１６をそれぞれ突設した軸固定片１７をそれぞれ延設すると共に、該各支軸１６の近傍の軸固定片１７に１個の半球状突起１８をそれぞれ突設する一方、前記第２の巻き付け部材２を構成する半円環状の基板６ａ・６ｂの他方側に形成された突出片１１ｃ・１１ｄを連結する連結片１３ｂの先端縁部に、前記各支軸１６を嵌合する凹溝１９を凹設した肉厚の軸受部２０を突設し、前記第１の巻き付け部材１、または第２の巻き付け部材２が、前記各支軸１６を嵌合した軸受部２０を介して回動し、更に、前記第１の巻き付け部材１、または第２の巻き付け部材２に対して、前記第２の巻き付け部材２、または第１の巻き付け部材１が、それぞれ所定の傾斜角度位置で停止することができるよう、前記各軸固定片１７の各半球状突起１８が、前記軸受部２０の両端外周壁面２１に沿ってスライドして嵌合する、複数個の半球状凹部２２をそれぞれ所定角度の位相差をもって、該軸受部２０の両端外周壁面２１に凹設して形成されている。
【００２５】
そして、前記第１の巻き付け部材１の各支軸１６を、第２の巻き付け部材２の凹溝１９を凹設した軸受部２０に嵌合することにより、前記第１の巻き付け部材１と第２の巻き付け部材２は、前記回動および傾斜停止手段３を介して回動可能に連結されると共に、前記第１の巻き付け部材１と第２の巻き付け部材２のいずれかが回動すると、前記各半球状突起１８が、前記軸受部２０の両端外周壁面２１に沿ってスライドして、いずれかの半球状凹部２２に嵌合することにより、前記第１の巻き付け部材１、または第２の巻き付け部材２をそれぞれ所定の傾斜角度位置で停止させることができるのである。
【００２６】
なお、本考案においては、前記第１の巻き付け部材１、または第２の巻き付け部材２が、各支軸１６を嵌合した軸受部２０を介して回動し、更に、前記第１の巻き付け部材１、または第２の巻き付け部材２に対して、前記第２の巻き付け部材２、または第１の巻き付け部材１が、それぞれ所定の傾斜角度位置で停止できるよう、複数個の半球状凹部２２をそれぞれ所定角度の位相差をもって凹設して形成されているが、前記複数個の半球状凹部２２の数とその設置角度は、特に限定する必要はないが、本考案においては、好ましくは、図７〜図９に示すように、６個の半球状凹部２２をそれぞれ４５度の位相差をもって凹設することが推奨される。
【００２７】
前記図７〜図９に示す構成より成る回動および傾斜停止手段３の作用について説明する。前記第２の巻き付け部材２を前記回動および傾斜停止手段３を介して前記第１の巻き付け部材１の下方側へ回動させて、あるいは第１の巻き付け部材１を前記回動および傾斜停止手段３を介して前記第２の巻き付け部材２の上方側へ回動させると、前記各半球状突起１８がそれぞれ４５度の位相差をもって凹設された６個の半球状凹部２２のいずれかに嵌合されることにより、前記第１の巻き付け部材１と第２の巻き付け部材２は、前記回動および傾斜停止手段３を介して回動可能に連結されると共に、前記第１の巻き付け部材１、または第２の巻き付け部材２に対して、前記第２の巻き付け部材２、または第１の巻き付け部材１が、それぞれ所定の傾斜角度位置で停止する。図７〜図９に示す半球状凹部２２は、６個凹設してあるので、全体として２２５度の角度まで４５度ずつ回動して固定させることができる
【００２８】
従って、図７・図８に示すように、第１の巻き付け部材１と第２の巻き付け部材２とを、回動および傾斜停止手段３を介して、前記第１の巻き付け部材１と第２の巻き付け部材２のいずれか一方を所定傾斜角度で傾斜、あるいは図１４に示すように、横一列にして停止させることもできるし、また前記第２の巻き付け部材２を第１の巻き付け部材１に対して斜め上方位置へ４５度回動させて停止することもできる。なお、前記第１の巻き付け部材１、または前記第２の巻き付け部材２を所定の傾斜角度位置で停止させるのは、後述する前記第１の巻き付け部材１、または第２の巻き付け部材２へ毛糸Ｋを巻き付ける際、前記巻き付け部材を動かないようにして、作業者の巻き付け作業を容易にするためである。
【００２９】
更に、前記第２の巻き付け部材２を前記回動および傾斜停止手段３を介して前記第１の巻き付け部材１の下方側へ回動させて、あるいは第１の巻き付け部材１を前記回動および傾斜停止手段３を介して前記第２の巻き付け部材２の上方側へ回動させて、第１の巻き付け部材１と第２の巻き付け部材２とを当接して、前記第１の巻き付け部材１と第２の巻き付け部材２とを連結固定するストッパー手段４が、前記第１の巻き付け部材１と第２の巻き付け部材２とに設置されている。前記ストッパー手段４は、前記第１の巻き付け部材１と第２の巻き付け部材２とを連結固定することができる機能を備えた構成であればよく、その構成は特に限定する必要はないが、本考案においては、好ましくは図１、図１０および図１１に示すような構成とすることが推奨される。
【００３０】
すなわち、図１、図１０および図１１において示されているように、ストッパー手段４は、前記第２の巻き付け部材２の一方側の連結片１３ａの端縁部に、断面倒凹状嵌合板２３を備えて形成された嵌合部材２４の基端部を回動自在に軸支すると共に、前記第１の巻き付け部材１の一方側の連結片１３ａの端縁部に、前記嵌合部材２４を回動させて、前記断面倒凹状嵌合板２３に嵌合係止される係止片２５を延設して形成されている。
【００３１】
前記構成より成るストッパー手段４の作用について説明する。前記第１の巻き付け部材１と第２の巻き付け部材２とに毛糸を巻き付ける一方、前記第２の巻き付け部材２を前記第１の巻き付け部材１の下方側へ回動させて、該第１の巻き付け部材１の下面に当接した後、前記嵌合部材２４を回動して、該嵌合部材２４の断面倒凹状嵌合板２３に、前記第１の巻き付け部材１の係止片２５を嵌合係止することにより、前記第２の巻き付け部材２は前記第１の巻き付け部材１の下面側に一体に連結固定されるのである。
【００３２】
前記のように構成された本考案毛糸玉作成具の作用について説明する。先ず、使用者は、前記回動および傾斜停止手段３を介して回動および傾斜させて、前記第１の巻き付け部材１と第２の巻き付け部材２を所定傾斜角度で傾斜、あるいは横一列にして停止させる。そして、第１工程として、図１１に示すように、第１の巻き付け部材１の掛止用スリット１５ａに巻初めの毛糸Ｋの端縁部を掛止した後、第２工程として、図１２に示すように、前記第１の巻き付け部材１の半円環状部に毛糸Ｋを均一に巻き付けて、半ドーナツ状の毛糸巻Ｍを形成し、第３工程として、図１３に示すように、前記半ドーナツ状に形成された毛糸巻Ｍの端縁を鋏でカットする。以下、同様に、第２の巻き付け部材２の掛止用スリット１５ｂに巻初めの毛糸Ｋの端縁部を掛止した後、前記第２の巻き付け部材２の半円環状に毛糸Ｋを均一に巻き付け、第４工程として、図１４に示すように、半ドーナツ状の毛糸巻Ｍとした後、鋏で毛糸巻Ｍの端縁をカットして、２巻の半ドーナツ状の毛糸巻Ｍを作成する。
【００３３】
次に、第５工程として、図１５に示すように、前記２巻の半ドーナツ状の毛糸巻Ｍを作成した後、該半ドーナツ状の毛糸巻Ｍを巻き付けた第２の巻き付け部材２を、回動および傾斜停止手段３を介して第１の巻き付け部材１の下面側へ回動して、該第１の巻き付け部材１下面に当接させて、ストッパー手段４を用いて、前記半ドーナツ状の毛糸巻Ｍを巻き付けた第１の巻き付け部材１と第２の巻き付け部材２とを一体に接合固定し、然る後、第６工程として、図１６に示すように、前記第１の巻き付け部材１に巻き付けられた半ドーナツ状の毛糸巻Ｍの一端部を、前記挿通孔１２ａ・１２ｂの一方（図１６においては、挿通孔１２ａ）に鋏の刃先部を挿通してカットして、鋏を該挿通孔から抜き取り、そして同様に、前記第２の巻き付け部材２に巻き付けられた半ドーナツ状の毛糸巻Ｍの一端部を、前記挿通孔１２ａ・１２ｂの一方に鋏の刃先部を挿通してカットして、鋏を該挿通孔から抜き取り、その後、第７工程として、図１７に示すように、前記第１の巻き付け部材１と第２の巻き付け部材２の前記基板６ａ・６ｂの両傾斜面９間に鋏を挿入して、該両傾斜面９に沿って、これをガイドとして鋏を移動させて、残りの半ドーナツ状の毛糸巻Ｍをカットし、前記第１の巻き付け部材１と第２の巻き付け部材２とに巻き付けられた各ドーナツ状の毛糸巻Ｍをそれぞれ２分割する。
【００３４】
その後、第８工程として、図１８に示すように、前記各半ドーナツ状の毛糸巻Ｍを２分割した後、その切断部分をそれぞれ外方向に押し広げ、型結び用の毛糸Ｋを前記挿通孔１２ａ・１２ｂに通した後、外部に露出した毛糸挿入隙間７に前記型結び用の毛糸Ｋを挿通して、前記２分割された２組のドーナツ状の毛糸巻Ｍを一体になるよう強く型結びし、然る後、最終工程の第９工程として、図１９に示すように、前記ストッパー手段４の固定状態を解除して、第１の巻き付け部材１と第２の巻き付け部材２を解放して、前記型結びされたて玉状となった毛糸巻Ｍを取り出し、その後全体の形を整え、毛糸玉Ｐを完成させるのである。
【符号の説明】
【００３５】
Ｋ  毛糸
Ｍ  毛糸巻
Ｐ  毛糸玉
１  第１の巻き付け部材  
２  第２の巻き付け部材
３  回動および傾斜停止手段
４  ストッパー手段
５  半円状の凹部
６ａ・６ｂ  半円環状の基板
７  毛糸挿通用隙間
８  半円状プレート
９  外方側へ拡開した傾斜面
１０  半円弧状傾斜板
１１ａ・１１ｂ・１１ｃ・１１ｄ  突出片
１２ａ・１２ｂ  挿通孔
１３ａ・１３ｂ  連結片
１４ａ・１４ｃ・１４ｂ・１４ｄ  突出端面
１５ａ・１５ｂ  掛止用スリット
１６  支軸
１７  軸固定片
１８  半球状突起
１９  凹溝
２０  軸受部
２１  外周壁面
２２  半球状凹部
【図１】
0003206126.tif 000003
【図２】
0003206126.tif 000004
【図３】
0003206126.tif 000005
【図４】
0003206126.tif 000006
【図５】
0003206126.tif 000007
【図６】
0003206126.tif 000008
【図７】
0003206126.tif 000009
【図８】
0003206126.tif 000010
【図９】
0003206126.tif 000011
【図１０】
0003206126.tif 000012
【図１１】
0003206126.tif 000013
【図１２】
0003206126.tif 000014
【図１３】
0003206126.tif 000015
【図１４】
0003206126.tif 000016
【図１５】
0003206126.tif 000017
【図１６】
0003206126.tif 000018
【図１７】
0003206126.tif 000019
【図１８】
0003206126.tif 000020
【図１９】
0003206126.tif 000021